(57)【要約】【課題】第１の表示領域が、第２の表示領域により隠されている場合に、第２の表示領域の不可視範囲を変更する操作を必要とすることなく、第１の表示領域における表示範囲を移動させることを可能とする。【解決手段】制御部は、送信先アドレス表示領域５０のスクロール領域６２が、表示部３２の表示領域における不可視範囲４２に含まれて隠された状態において、送信先アドレス表示領域５０において表示対象である送信先アドレスを選択して移動しようとする操作が行われた場合、表示部３２の表示領域における不可視範囲４２を変化させてスクロール領域６２が表示されるよう表示部３２を制御する。【選択図】図１３
2020205076.tif 000002
【特許請求の範囲】
【請求項１】
１または複数の表示対象を表示するとともに、選択された表示対象が予め定められた特定領域に移動された場合に、表示範囲が移動する第１の表示領域と、前記第１の表示領域を含む領域の一部を不可視範囲とする第２の表示領域とを表示する表示手段と、
前記第２の表示領域によって前記第１の表示領域の少なくとも一部が不可視範囲となっている状態において、前記第１の表示領域において表示対象を選択する操作が行われた場合、前記第２の表示領域を移動させることにより不可視範囲を変化させて前記第１の表示領域における不可視範囲が表示されるよう前記表示手段を制御する制御手段と、
を備えた情報処理装置。
【請求項２】
前記制御手段は、前記第２の表示領域を徐々に移動させることにより不可視範囲を徐々に変化させて前記第１の表示領域における特定領域が表示されるよう前記表示手段を制御する請求項１記載の情報処理装置。
【請求項３】
１または複数の表示対象を表示するとともに、選択された表示対象が予め定められた特定領域に移動された場合に、表示範囲が移動する第１の表示領域と、前記第１の表示領域を含む領域の一部を不可視範囲とする第２の表示領域とを表示部に表示するステップと、
前記第２の表示領域によって前記第１の表示領域の少なくとも一部が不可視範囲となっている状態において、前記第１の表示領域において表示対象を選択する操作が行われた場合、前記第２の表示領域を移動させることにより不可視範囲を変化させて前記第１の表示領域における不可視範囲が表示されるよう前記表示部を制御するステップとをコンピュータに実行させるためのプログラム。
【発明の詳細な説明】
【技術分野】
【０００１】
本発明は、情報処理装置およびプログラムに関する。
【背景技術】
【０００２】
特許文献１には、タッチパネルにおけるスクロール量の指定において、第１の位置から第２の位置までの距離によって定まるスクロール量を停止時間に応じて減少させるようにした情報処理装置が開示されている。
【先行技術文献】
【特許文献】
【０００３】
【特許文献１】特開２０１５−１８４７４２号公報
【発明の概要】
【発明が解決しようとする課題】
【０００４】
ある表示領域内に複数の表示対象を配列して表示するような場合、表示する表示対象の数が多くなると表示領域内に表示することができなくなる場合がある。このような場合、表示領域には表示すべき複数の表示対象のうち一部の表示対象のみが表示されることになる。
【０００５】
一般的に表示範囲を広くすることができない表示部を有するプリンタ等の情報処理装置では、このような表示領域を含む領域の一部のみを表示部に表示し、表示部に表示する表示範囲をスクロールして移動可能なようにする場合がある。
【０００６】
このようにある表示領域内で表示対象をスクロール制御で表示し、その表示領域を表示する表示部でもスクロール制御するような二重スクロール制御を行う場合、表示領域の全体が表示部に表示されずに表示領域内のスクロール領域が隠れてしまうような状態になることがある。
【０００７】
このような状態で、表示領域内の表示対象を表示されていない場所に移動しようとすると、先ず表示部の表示範囲をスクロールさせて表示領域のスクロール領域が表示されるような状態にし、その後に移動しようとする表示対象を選択してスクロール領域に移動させて表示領域の表示範囲をスクロールさせて表示対象を移動させようとする位置まで移動させるという操作が必要となる。
【０００８】
本発明の目的は、第１の表示領域が、第２の表示領域により隠されている場合に、第２の表示領域の不可視範囲を変更する操作を必要とすることなく、第１の表示領域における表示範囲を移動させることが可能な情報処理装置およびプログラムを提供することである。
【課題を解決するための手段】
【０００９】
［情報処理装置］
請求項１に係る本発明は、１または複数の表示対象を表示するとともに、選択された表示対象が予め定められた特定領域に移動された場合に、表示範囲が移動する第１の表示領域と、前記第１の表示領域を含む領域の一部を不可視範囲とする第２の表示領域とを表示する表示手段と、
前記第２の表示領域によって前記第１の表示領域の少なくとも一部が不可視範囲となっている状態において、前記第１の表示領域において表示対象を選択する操作が行われた場合、前記第２の表示領域を移動させることにより不可視範囲を変化させて前記第１の表示領域における不可視範囲が表示されるよう前記表示手段を制御する制御手段とを備えた情報処理装置である。
【００１０】
請求項２に係る本発明は、前記制御手段が、前記第２の表示領域を徐々に移動させることにより不可視範囲を徐々に変化させて前記第１の表示領域における特定領域が表示されるよう前記表示手段を制御する請求項１記載の情報処理装置である。
【００１１】
[プログラム]
請求項３に係る本発明は、１または複数の表示対象を表示するとともに、選択された表示対象が予め定められた特定領域に移動された場合に、表示範囲が移動する第１の表示領域と、前記第１の表示領域を含む領域の一部を不可視範囲とする第２の表示領域とを表示部に表示するステップと、
前記第２の表示領域によって前記第１の表示領域の少なくとも一部が不可視範囲となっている状態において、前記第１の表示領域において表示対象を選択する操作が行われた場合、前記第２の表示領域を移動させることにより不可視範囲を変化させて前記第１の表示領域における不可視範囲が表示されるよう前記表示部を制御するステップとをコンピュータに実行させるためのプログラムである。
【発明の効果】
【００１２】
請求項１に係る本発明によれば、第１の表示領域が、第２の表示領域により隠されている場合に、第２の表示領域の不可視範囲を変更する操作を必要とすることなく、第１の表示領域における表示範囲を移動させることが可能な情報処理装置を提供することができる。
【００１３】
請求項２に係る本発明によれば、第２の表示領域における不可視範囲の移動を操作者が希望する任意の位置で止めることが可能な情報処理装置を提供することができる。
【００１４】
請求項３に係る本発明によれば、第１の表示領域が、第２の表示領域により隠されている場合に、第２の表示領域の不可視範囲を変更する操作を必要とすることなく、第１の表示領域における表示範囲を移動させることが可能なプログラムを提供することができる。
【図面の簡単な説明】
【００１５】
【図１】本発明の第１の実施形態の情報処理装置である画像形成装置１０を含む画像形成システムの構成を示す図である。
【図２】本発明の第１の実施形態における画像形成装置１０のハードウェア構成を示すブロック図である。
【図３】本発明の第１の実施形態における画像形成装置１０の機能構成を示すブロック図である。
【図４】本発明の第１の実施形態の画像形成装置１０における表示部３２の表示内容の一例を示す図である。
【図５】新規の電子メール送信設定を行うための画面例を説明するための図である。
【図６】表示部３２の表示領域の構成を説明するための図である。
【図７】送信先アドレス表示領域５０の構成を説明するための図である。
【図８】送信先アドレスの配列順を変更する場合に、移動しようとする送信先アドレス「aaa@bbb.co.jp」を選択する例を説明するための図である。
【図９】送信先アドレス表示領域５０におけるスクロール領域６１、６２を説明するための図である。
【図１０】スクロール領域６１、６２を用いたスクロール操作を説明するための図である。
【図１１】本発明の第１の実施形態の画像形成装置１０におけるスクロール操作を説明するための図である。
【図１２】本発明の第１の実施形態の画像形成装置１０におけるスクロール操作を説明するための図である。
【図１３】本発明の第１の実施形態の画像形成装置１０におけるスクロール操作を説明するための図である。
【図１４】本発明の第１の実施形態の画像形成装置１０におけるスクロール操作を説明するための図である。
【図１５】本発明の第１の実施形態の画像形成装置１０におけるスクロール操作を説明するための図である。
【図１６】本発明の第２の実施形態の画像形成装置１０におけるスクロール操作を説明するための図である。
【図１７】本発明の第２の実施形態の画像形成装置１０におけるスクロール操作を説明するための図である。
【図１８】本発明の第２の実施形態の画像形成装置１０におけるスクロール操作を説明するための図である。
【図１９】本発明の第２の実施形態の画像形成装置１０におけるスクロール操作を説明するための図である。
【図２０】本発明の第２の実施形態の画像形成装置１０におけるスクロール操作を説明するための図である。
【発明を実施するための形態】
【００１６】
次に、本発明の実施の形態について図面を参照して詳細に説明する。
【００１７】
[第１の実施形態]
図１は本発明の第１の実施形態の情報処理装置である画像形成装置１０を含む画像形成システムの構成を示す図である。
【００１８】
本実施形態の画像形成システムは、図１に示されるように、ネットワーク３０により相互に接続された画像形成装置１０、および端末装置２０により構成される。端末装置２０は、印刷データを生成して、ネットワーク３０経由にて生成した印刷データを画像形成装置１０に対して送信する。画像形成装置１０は、端末装置２０から送信された印刷データを受け付けて、印刷データに応じた画像を用紙上に出力する。なお、画像形成装置１０は、印刷（プリント）機能、スキャン機能、複写（コピー）機能、ファクシミリ機能等の複数の機能を有するいわゆる複合機と呼ばれる装置である。
【００１９】
次に、本実施形態の画像形成システムにおける画像形成装置１０のハードウェア構成を図２に示す。
【００２０】
画像形成装置１０は、図２に示されるように、ＣＰＵ１１、メモリ１２、ハードディスクドライブ（ＨＤＤ）等の記憶装置１３、ネットワーク３０を介して外部の装置等との間でデータの送信及び受信を行う通信インタフェース（ＩＦ）１４、タッチパネル又は液晶ディスプレイ並びにキーボードを含むユーザインタフェース（ＵＩ）装置１５、スキャナ１６、プリントエンジン１７を有する。これらの構成要素は、制御バス１８を介して互いに接続されている。
【００２１】
プリントエンジン１７は、帯電、露光、現像、転写、定着などの工程を経て印刷用紙等の記録媒体上に画像を印刷する。
【００２２】
ＣＰＵ１１は、メモリ１２または記憶装置１３に格納された制御プログラムに基づいて所定の処理を実行して、画像形成装置１０の動作を制御する。なお、本実施形態では、ＣＰＵ１１は、メモリ１２または記憶装置１３内に格納された制御プログラムを読み出して実行するものとして説明したが、当該プログラムをＣＤ−ＲＯＭ等の記憶媒体に格納してＣＰＵ１１に提供することも可能である。
【００２３】
図３は、上記の制御プログラムが実行されることにより実現される画像形成装置１０の機能構成を示すブロック図である。
【００２４】
本実施形態の画像形成装置１０は、図３に示されるように、制御部３１と、表示部３２と、記憶部３３と、画像読取部３４と、通信部３５と、画像出力部３６とを備えている。
【００２５】
表示部３２は、いわゆるタッチパネル等の操作パネルにより構成され、画像形成装置１０に対する操作を受け付けたり、操作結果、処理結果等をユーザに示すために表示する。
【００２６】
記憶部３３は、制御部３１による処理が行われる際の途中の画像データ等を一時的に記憶するためのメモリである。
【００２７】
画像読取部３４は、セットされた原稿を読取って画像データに変換する処理を行っている。
【００２８】
通信部３５は、端末装置２０等の外部装置との間でデータのソース受信を行い、端末装置２０からの印刷ジョブを受信したり、画像データをファクシミリ送信したり、電子メールの送受信等を行っている。
【００２９】
画像出力部３６は、制御部３１による指示に基づいて動作を行って、画像データを印刷用紙等の記録媒体上に印刷して出力する処理を実行する。
【００３０】
制御部３１は、表示部３２、記憶部３３、画像読取部３４、通信部３５、画像出力部３６等を制御して、印刷処理、複写処理、原稿画像の読取り処理等の様々な処理を実行している。
【００３１】
次に、本実施形態の画像形成装置１０における表示部３２の表示内容について説明する。
【００３２】
先ず、本実施形態の画像形成装置１０における表示部３２の表示内容の一例を図４に示す。
【００３３】
図４に示した例では、新規の電子メールの送信設定を行う際の表示内容が示されている。ここでは、表示部３２内の右端にスクロールバー４１が表示されている。このスクロールバー４１を上下に操作することにより表示部３２の表示範囲を移動させて隠れている表示内容が表示されるようにするスクロール操作が行われる。
【００３４】
具体的には、新規の電子メール送信設定を行うための画面は、図５に示すように表示部３２の表示領域よりも上下方向に長くなっているため、その一部のみが表示部３２に表示されている。そして、表示部３２の表示領域内に表示されたスクロールバー４１を操作することにより、ユーザは操作したい場所を表示部３２に表示させて、新規の電子メール送信設定のための各種操作を行うことができるようになっている。
【００３５】
つまり、表示部３２の表示領域は、図６に示すように可視範囲４３と、不可視範囲４２とから構成され、可視範囲４３内の表示内容が表示部３２に表示される。
【００３６】
また、この新規の電子メール送信設定の画面内には、入力した電子メールの送信先アドレス（宛先アドレス）の一覧を表示するための送信先アドレス表示領域５０が含まれている。
【００３７】
そして、この送信先アドレス表示領域５０は、一定の大きさの領域となっているため、図７に示すように、表示対象である複数の送信先アドレスを配列して表示する際に、全ての送信先アドレスを表示できない場合、複数の送信先アドレスの一部のみを表示するような表示領域になっている。
【００３８】
そして、送信先アドレス表示領域５０の右端にもスクロールバー５１が設けられており、このスクロールバー５１を上下方向に操作することにより、表示範囲が移動して隠れていた送信先アドレスを表示させることができるようになっている。
【００３９】
次に、ユーザがこの送信先アドレス表示領域５０内の送信先アドレスの配列順序を変更する場合の操作について説明する。例えば、企業内において複数人に同一の電子メールを送信する際に、職位が上位の人の送信先アドレスはできるだけ配列順を上にするような場合、入力した送信先アドレスの配列順を変更する操作が必要になる。
【００４０】
このように送信先アドレスの配列順を変更する場合、先ず、図８に示すように指７０により移動しようとする送信先アドレスを長押しして選択するドラッグ操作を行う。図８では、「aaa@bbb.co.jp」というアドレスを選択した場合が示されている。
【００４１】
そして、ユーザは、選択した送信先アドレスを移動したい位置で離すことにより（ドロップ操作）その位置まで送信先アドレスを移動させるが、移動したい位置が送信先アドレス表示領域５０内に表示されていない場合、スクロール操作を行って移動したい位置を表示させる必要がある。
【００４２】
ここで、送信先アドレス表示領域５０では、図９に示すように、上端と下端のそれぞれに、スクロール領域６１、６２が設定されている。例えば、送信先アドレス表示領域５０におけるスクロール領域（特定領域）が、送信先アドレス表示領域５０における上端および下端から予め設定された距離である２０ピクセル以内の領域に設定される。
【００４３】
ここでいう特定領域とは、移動対象（送信先アドレス）を当該領域内に移動させる操作を受け付けた場合、対応する領域を移動させるよう表示部を制御する指示が行われる領域である。
【００４４】
このようなスクロール領域６１、６２を用いたスクロール操作について図１０を参照して説明する。
【００４５】
制御部３１は、図１０（Ａ）に示すように、選択された送信先アドレスの上端が送信先アドレス表示領域５０の上端に設定されたスクロール領域６１内に入った場合に、送信先アドレス表示領域５０の表示範囲が上方向、つまり表示されている送信先アドレスが下方向に移動するようなスクロール動作が行われるよう表示部３２を制御する。
【００４６】
また、制御部３１は、図１０（Ｂ）に示すように、選択された送信先アドレスの下端が送信先アドレス表示領域５０の下端に設定されたスクロール領域６２内に入った場合に、送信先アドレス表示領域５０の表示範囲が下方向、つまり表示されている送信先アドレスが上方向に移動するようなスクロール動作が行われるよう表示部３２を制御する。
【００４７】
なお、本実施形態では、上下方向のスクロール動作が行われる場合を用いて説明するが、同様の方法により左右方向のスクロール動作が行われる場合でも本発明は適用可能である。
【００４８】
このような場合には、スクロール領域が、表示における左端および右端から予め設定された距離以内の領域に設定される。そして、選択された表示対象の左端が表示領域の左端に設定されたスクロール領域内に入った場合に、表示領域の表示範囲が左方向に移動し、選択された表示対象の右端が表示領域の右端に設定されたスクロール領域内に入った場合に、表示領域の表示範囲が右方向に移動するような制御が行われることになる。
【００４９】
つまり、送信先アドレス表示領域（第１の表示領域）５０は、１または複数の送信先アドレス（表示対象）を表示するとともに、選択された送信先アドレスが予め定められたスクロール領域（特定領域）に移動された場合に、見えていなかった領域が見えるように表示範囲が移動するような表示領域である。
【００５０】
このように、表示部３２は、送信先アドレス表示領域５０と、送信先アドレス表示領域５０を含む領域の一部を不可視範囲４２とする表示領域（第２の表示領域）とを表示する。
【００５１】
次に、本実施形態の画像形成装置１０における表示部３２内に表示された送信先アドレス表示領域５０において、送信先アドレスの配列順序を変更する場合の動作を図面を参照して説明する。
【００５２】
ここでは、図１１に示すように、送信先アドレス表示領域５０におけるスクロール領域６２が表示部３２の表示領域における不可視範囲４２に含まれている状態において、送信先アドレス表示領域５０内の送信先アドレスを移動させて配列順序を変更する場合について説明する。
【００５３】
制御部３１は、このように送信先アドレス表示領域５０のスクロール領域が、表示部３２の表示領域における不可視範囲４２に含まれて隠された状態において、送信先アドレス表示領域５０において表示対象である送信先アドレスを選択して移動しようとする操作が行われた場合、表示部３２の表示領域における不可視範囲４２を変化させてスクロール領域が表示されるよう表示部３２を制御する。
【００５４】
具体的には、先ず図１１に示すように、ユーザが指７０により移動しようとする送信先アドレス「aaa@bbb.co.jp」を長押しすることにより選択して移動開始する。なお、移動しようとする送信先アドレスを選択する方法はこのような長押しに限定されるものではなく、送信先アドレスが選択されたことを検知することができる操作であれば、シングルタッチ、ダブルタッチ等の他の操作により送信先アドレスを選択することができるようにしても良い。
【００５５】
そして、図１２に示すように、ユーザが選択した送信先アドレス「aaa@bbb.co.jp」を下方の配列順序に移動させようとして、下方に移動させ、選択した送信先アドレスの下端と、可視範囲４３と不可視範囲４２の境界線との距離が所定値以下となったものとする。
【００５６】
すると、図１３に示すように、表示部３２の表示領域がスクロール動作を開始することにより、可視範囲４３が徐々に移動して、下方の表示内容が表示されるようになる。
【００５７】
このように、制御部３１は、送信先アドレス表示領域５０において表示対象である送信先アドレスを選択して移動することにより表示部３２の表示領域の不可視範囲４２までの距離が予め定められた値以下となった場合、表示部３２の表示領域における不可視範囲４２を徐々に移動させて送信先アドレス表示領域５０におけるスクロール領域６２が表示されるよう表示部３２を制御する。つまり、制御部３１は、表示対象である送信先アドレスに対する移動操作に基づいて、表示部３２の表示領域の表示内容を変化させて、送信先アドレス表示領域５０におけるスクロール領域６２が表示されるよう表示部３２を制御する。
【００５８】
すると、図１４に示すように、送信先アドレス表示領域５０の全体が可視範囲４３内となり、送信先アドレス表示領域５０のスクロール領域６２も表示されることになる。この状態でユーザが選択した送信先アドレスを下方に移動し続けると、選択された送信先アドレス「aaa@bbb.co.jp」の下端が送信先アドレス表示領域５０のスクロール領域６２内に入ることになる。
【００５９】
そのため、図１５に示すように、送信先アドレス表示領域５０においてスクロール動作が開始され、表示範囲が下方に移動し、表示されていた他の送信先アドレスが上方向に移動することになる。
【００６０】
この状態でユーザは、移動しようとしていた場所が表示されるまでスクロール動作を継続させ、移動しようとする場所が表示されると、選択していた送信先アドレスを離す（ドロップ操作を行う）ことにより希望する位置までの移動が実行されることになる。
【００６１】
なお、比較のため、上述したようなスクロール動作が行われない場合、図１１に示したような状態から、送信先アドレス「aaa@bbb.co.jp」を選択して下方に移動させようとした場合の操作について説明する。
【００６２】
このような場合、まず最初に、ユーザは、表示部３２のスクロールバー４１を下方に移動させて、送信先アドレス表示領域５０のスクロール領域６２を表示部３２に表示させる必要がある。そして、その後、送信先アドレス「aaa@bbb.co.jp」を選択して、表示されたスクロール領域６２まで選択した送信先アドレス「aaa@bbb.co.jp」の下端を移動させるという２回の操作を行う必要がある。
【００６３】
これに対して、図１１〜図１５を用いて説明した本実施形態の操作方法によれば、ユーザは、スクロールバー４１を操作することなく、送信先アドレス「aaa@bbb.co.jp」を希望する位置まで移動させることができる。
【００６４】
なお、本実施形態では新規電子メール送信という１つの画面内で上下にスクロール表示が行われる場合を用いて説明したが、本発明はこのような構成に限定されるものではなく、連続した複数の画面が存在し、選択した表示対象を移動させる場合に、この複数の画面間を遷移するような構成においても同様に適用可能である。このような構成では、ある画面内において選択した表示対象を移動させようとして、その画面内の上端または下端（あるいは左端または右端）に設定された所定範囲に表示対象が入ると、他の画面に遷移するような制御が行われる。
【００６５】
さらに、本実施形態では、送信先アドレス表示領域５０において表示対象である送信先アドレスを選択して移動することにより表示部３２の表示領域の不可視範囲４２までの距離が予め定められた値以下となった場合に、表示部３２の表示領域における不可視範囲４２が徐々に移動するようなスクロール動作が行われる場合を用いて説明したが、本発明はこのような制御が行われる場合に限定されるものではない。
【００６６】
例えば、移動させたい方向の表示領域境界までユーザが選択した表示対象を移動させた場合に、表示領域における不可視範囲が移動するような制御が行われるようにすることも可能である。
【００６７】
また、不可視範囲が移動するような制御が行われるタイミングは、移動させたい方向の表示領域境界まで選択した表示対象が到達するよりも前であっても良い。
【００６８】
さらに、移動しようとする表示対象が選択されたタイミングで、不可視範囲が移動するような制御を行うようにすることも可能である。
【００６９】
さらに、移動しようとする表示対象が選択され、ある移動方向への移動が始まったタイミングで、不可視範囲が移動するような制御を行うようにすることも可能である。
【００７０】
このような制御を行う場合には、例えば、表示領域が上側に張り付いており上方向へのスクロールができないような状態で、表示対象が選択されて少しでも移動した場合には、表示領域の不可視範囲を移動させるようにしても良い。
【００７１】
しかし、このような制御を行う場合でも、例えば、上下の両方向へのスクロールが可能な状態で、表示対象が選択されて移動した場合には、表示対象が少し移動しただけで表示領域の不可視範囲を移動させたのではユーザの意図と異なる場合もあり得るため、移動させたい方向の表示領域境界まで表示対象が近づくのを待ってから不可視範囲を移動させるようにする。
【００７２】
さらに、本実施形態では、送信先アドレスを移動対象として、この送信先アドレスが特定領域であるスクロール領域６１、６２に移動した場合に、送信先アドレス表示領域５０を移動するような制御が行われる場合を用いて説明した。しかし、移動対象をスクロールバー５１とした場合でも、本発明は適用可能である。例えば、図９に示すような状態では、スクロールバー５１を選択して下方に移動しようとした場合、移動しようとする場所が不可視領域に含まれているため隠されているので移動することができない。
【００７３】
このような場合に、スクロールバー５１が表示対象の境界領域に接近することにより、表示領域の不可視領域が移動して、隠れていた領域（スクロールバー５１の下方領域）が見えるようになり、スクロールバー５１をその領域に移動することが可能となる。
【００７４】
［第２の実施形態］
次に、本発明の第２の実施形態の情報処理装置について説明する。
【００７５】
上記第１の実施形態では、画像形成装置１０における表示部３２の表示領域により送信先アドレス表示領域５０のスクロール領域６２が隠された場合について説明した。
【００７６】
これに対して、本実施形態では、図１６に示すように、例えば、ノートパソコン（パーソナルコンピュータ）等の表示画面において、送信先アドレス表示領域５０のスクロール領域６２が表示領域８０により隠されたような場合について説明する。この例では表示領域８０は当該位置で最前面に表示されているため、スクロール領域６２を選択したことでも隠された状態が解消しない場合を考えている。
【００７７】
先ず、図１６に示すように、ユーザが指７０により移動しようとする送信先アドレス「aaa@bbb.co.jp」を長押しすることにより選択して移動開始する。
【００７８】
そして、図１７に示すように、ユーザが選択した送信先アドレス「aaa@bbb.co.jp」を下方の配列順序に移動させようとして、下方に移動させ、選択した送信先アドレスの下端と、表示領域８０との距離が所定値以下となったものとする。
【００７９】
すると、図１８に示すように、表示領域８０がスクロール動作を開始することにより徐々に下方に移動する。
【００８０】
すると、図１９に示されるように、送信先アドレス表示領域５０の全体が表示されるようになり、送信先アドレス表示領域５０のスクロール領域６２も表示されることになる。この状態でユーザが選択した送信先アドレスを下方に移動し続けると、図１９に示すように、選択された送信先アドレス「aaa@bbb.co.jp」の下端が送信先アドレス表示領域５０のスクロール領域６２内に入ることになる。
【００８１】
そのため、図２０に示すように、送信先アドレス表示領域５０においてスクロール動作が開始され、表示範囲が下方に移動し、表示されていた他の送信先アドレスが上方向に移動することになる。
【００８２】
なお、図１８では、表示領域８０が徐々に下方に移動する場合について説明していたが、選択した送信先アドレスの下端と表示領域８０との距離が所定値以下となった場合に、表示領域８０が一気に移動して、送信先アドレス表示領域５０のスクロール領域６２が表示されるような制御にすることも可能である。
【００８３】
さらに、上記の実施形態では、選択した送信先アドレスを移動させた際に、表示領域８０の不可視範囲を変化させる一例として表示領域８０を徐々に移動させる場合を用いて説明したが、本発明はこのような制御に限定されるものではない。例えば、表示領域８０の形状を変化させたり、表示領域８０を移動させずに外枠以外を透明とすることにより、隠されていたスクロール領域６２が表れて、送信先アドレス表示領域５０と表示領域８０とが重なった領域に選択した送信先アドレスを移動できるようにするようにしても良い。ここで、表示領域８０の形状を変化させる場合の例としては、例えば、表示領域８０の大きさが小さくなる、スクロール領域６２が見えるように一部がぐにゃっと曲がる等の様々な形状の変化が考えられる。
【００８４】
[変形例]
上記実施形態では、画像形成装置に対して本発明を適用した場合を用いて説明したが、本発明はこれに限定されるものではなく、スマートフォン、タブレット端末装置、携帯電話装置、ノートパソコン等のスクロール表示を行う各種情報処理装置に対しても同様に本発明を適用することができるものである。
【符号の説明】
【００８５】
１０    画像形成装置
１１    ＣＰＵ
１２    メモリ
１３    記憶装置
１４    通信インタフェース（ＩＦ）
１５    ユーザインタフェース（ＵＩ）装置
１６    スキャナ
１７    プリントエンジン
１８    制御バス
２０    端末装置
３０    ネットワーク
３１    制御部
３２    表示部
３３    記憶部
３４    画像読取部
３５    通信部
３６    画像出力部
４１    スクロールバー
４２    不可視範囲
４３    可視範囲
５０    送信先アドレス表示領域
５１    スクロールバー
６１、６２    スクロール領域
７０    指
８０    表示領域
【図１】
2020205076.tif 000003
【図２】
2020205076.tif 000004
【図３】
2020205076.tif 000005
【図４】
2020205076.tif 000006
【図５】
2020205076.tif 000007
【図６】
2020205076.tif 000008
【図７】
2020205076.tif 000009
【図８】
2020205076.tif 000010
【図９】
2020205076.tif 000011
【図１０】
2020205076.tif 000012
【図１１】
2020205076.tif 000013
【図１２】
2020205076.tif 000014
【図１３】
2020205076.tif 000015
【図１４】
2020205076.tif 000016
【図１５】
2020205076.tif 000017
【図１６】
2020205076.tif 000018
【図１７】
2020205076.tif 000019
【図１８】
2020205076.tif 000020
【図１９】
2020205076.tif 000021
【図２０】
2020205076.tif 000022